(57)【特許請求の範囲】
【請求項１】
複数種類のガスケットの各々と、ガスケット係数、最小設計締付圧力、及び内部流体の種類に応じた最小締付面圧と、を関連付けたデータベースを記憶する記憶手段と、
前記複数種類のガスケットの何れかと、当該ガスケットに関するサイズ及び圧力と、内部流体の種類と、のユーザによる指定を受け付ける受付手段と、
前記指定されたサイズに対応する有効幅及び有効径と、前記指定された圧力と、前記指定されたガスケットのガスケット係数と、に基づいて、内圧でフランジが開かないために必要なガスケットの第１締付力を算出する第１締付力算出手段と、
前記有効幅及び前記有効径と、前記指定されたガスケットの最小設計締付圧力と、に基づいて、内部流体の浸透漏れ又は接面漏れが生じないために必要なガスケットの第２締付力を算出する第２締付力算出手段と、
前記指定されたサイズに対応するガスケット接触面積と、前記指定されたガスケット及び内部流体の種類に対応する最小締付面圧と、を乗算して第３締付力を算出する第３締付力算出手段と、
前記指定されたガスケットを締め付けるボルトに関する情報を取得する取得手段と、
前記第１締付力、前記第２締付力、及び前記第３締付力のうち最大のものと、前記ボルトに関する情報と、に基づいて、内部流体が漏れないために必要なボルトの最小締付トルクを算出する最小締付トルク算出手段と、
前記指定されたガスケットに関連付けて、前記最小締付トルクを前記ユーザに提示する提示手段と、
を含むガスケット締付計算システムであって、
前記受付手段は、前記提示手段により前記最小締付トルクが提示された場合、前記指定されたガスケットの前記ユーザによる発注操作を受け付け、更に、前記指定されたガスケットを使用する機器について、前記ユーザによる指定を受け付け、
前記ガスケット締付計算システムは、
前記ユーザによる発注操作を受け付けた場合、前記指定されたガスケットの発注処理を実行する発注処理実行手段と、
前記発注処理手段による発注処理が実行される場合に、前記指定された機器に関連付けて、前記ユーザにより発注されたガスケットに関する発注情報であって、過去の発注時において前記ユーザが指定したガスケットの種類と、ガスケットに関するサイズ及び圧力と、内部流体の種類と、に関する情報を含む発注情報を記録する手段と、
を更に含み、
前記提示手段は、前記発注情報が記録された後に前記ユーザにより機器が指定された場合、当該指定された機器に関連付けられた前記発注情報を前記ユーザに提示し、
前記第１締付力算出手段、前記第２締付力算出手段、及び前記第３締付算出手段のそれぞれは、過去の発注時の前記発注情報に基づいて、前記第１締付力、前記第２締付力、及び前記第３締付力のそれぞれを算出する、
ことを特徴とするガスケット締付計算システム。
【請求項２】
前記データベースには、前記複数種類のガスケットの各々と、許容面圧と、が関連付けられており、
前記ガスケット締付計算システムは、
前記ガスケット接触面積と、前記指定されたガスケットの許容面圧と、を乗算して許容締付力を算出する手段と、
前記許容締付力と前記ボルトに関する情報とに基づいて、前記指定されたガスケットを圧縮破壊させないためのボルトの許容締付トルクを算出する手段と、
を更に含み、
前記提示手段は、前記指定されたガスケットに関連付けて、前記許容締付トルクを前記ユーザに提示する、
ことを特徴とする請求項１に記載のガスケット締付計算システム。
【請求項３】
前記ガスケット締付計算システムは、
前記最小締付トルクと前記ボルトに関する情報とに基づいて、前記指定されたガスケットを前記最小締付トルクで締め付けた場合にボルトにかかる応力を算出する応力算出手段を更に含み、
前記提示手段は、前記指定されたガスケットに関連付けて、前記算出された応力を前記ユーザに提示する、
ことを特徴とする請求項１又は２に記載のガスケット締付計算システム。
【請求項４】
前記ボルトに関する情報は、ボルトの耐久応力に関する情報を含み、
前記ガスケット締付計算システムは、
前記算出された応力が前記耐久応力を超えたか否かを判定する応力判定手段を更に含み、
前記提示手段は、前記応力判定手段の判定結果を前記ユーザに提示する、
ことを特徴とする請求項３に記載のガスケット締付計算システム。
【請求項５】
前記ボルトに関する情報は、複数種類のボルトの各々の耐久応力に関する情報を含み、
前記ガスケット締付計算システムは、
前記複数種類のボルトのうち、前記算出された応力よりも前記耐久応力が大きいボルトを検索する手段を更に含み、
前記提示手段は、前記算出された応力が前記耐久応力を超えたと判定された場合、前記検索された他のボルトを前記ユーザに提示する、
ことを特徴とする請求項４に記載のガスケット締付計算システム。
【請求項６】
前記ガスケット締付計算システムは、
前記複数種類のガスケットのうちから、前記応力算出手段により算出される応力が当該耐久応力を超えないガスケットを検索する手段を更に含み、
前記提示手段は、前記算出された応力が前記耐久応力を超えたと判定された場合、前記検索された他のガスケットを前記ユーザに提示する、
ことを特徴とする請求項４又は５に記載のガスケット締付計算システム。
【請求項７】
前記データベースには、前記複数種類のガスケットの各々と使用可能条件とが関連付けられており、
前記受付手段は、前記指定されたガスケットの使用条件について、前記ユーザによる指定を受け付け、
前記ガスケット締付計算システムは、
前記指定された使用条件が、前記指定されたガスケットに関連付けられた使用可能条件を満たすか否かを判定する使用可否判定手段を更に含み、
前記提示手段は、前記使用可否判定手段の判定結果を、前記ユーザに提示する、
ことを特徴とする請求項１〜６の何れか一項に記載のガスケット締付計算システム。
【請求項８】
前記ボルトに関する情報は、ボルトの耐久応力に関する情報を含み、
前記ガスケット締付計算システムは、
前記耐久応力に基づいて、ボルトに許容される締付トルクを算出する手段を更に含み、
前記提示手段は、前記指定されたガスケットに関連付けて、前記ボルトに許容される締付トルクを前記ユーザに提示する、
ことを特徴とする請求項１〜７の何れか一項に記載のガスケット締付計算システム。
【請求項９】
前記受付手段は、ガスケット使用時のボルトに関する情報の前記ユーザによる指定を受け付け、
前記ボルトに関する情報は、ボルトの耐久応力に関する情報を含み、
前記ガスケット締付計算システムは、
前記最小締付トルクと前記ボルトに関する情報とに基づいて、前記指定されたガスケットを前記最小締付トルクで締め付けた場合に前記指定されたボルトにかかる応力を算出する応力算出手段と、
前記算出された応力が前記耐久応力を超えたか否かを判定する応力判定手段と、
前記応力判定手段により前記耐久応力を超えたと判定された場合に、前記発注処理実行手段による発注処理の実行を制限する手段と、
を更に含むことを特徴とする請求項１〜８の何れか一項に記載のガスケット締付計算システム。
【請求項１０】
前記発注処理実行手段は、前記指定されたガスケットの発注処理を実行する場合、前記最小締付トルクを、当該ガスケットが発送される際の添付用紙に印刷する、
ことを特徴とする請求項１〜９の何れか一項に記載のガスケット締付計算システム。
【請求項１１】
前記ガスケット締付計算システムは、
前記複数種類のガスケットの各々の在庫量及び納期に関する情報を記憶する手段を更に含み、
前記提示手段は、前記最小締付トルクを前記ユーザに提示した場合、前記指定されたガスケットの在庫量及び納期に関する情報を、前記ユーザに提示する、
ことを特徴とする請求項１〜１０の何れか一項に記載のガスケット締付計算システム。
【請求項１２】
前記受付手段は、ガスケット使用時のボルトに関する情報の前記ユーザによる指定を受け付け、
前記ボルトに関する情報は、ボルトの耐久応力に関する情報を含み、
前記ガスケット締付計算システムは、
前記最小締付トルクと前記ボルトに関する情報とに基づいて、前記指定されたガスケットを前記最小締付トルクで締め付けた場合に前記指定されたボルトにかかる応力を算出する応力算出手段と、
前記算出された応力が前記耐久応力を超えたか否かを判定する応力判定手段と、
前記応力判定手段により前記耐久応力を超えたと判定された場合に、前記指定されたガスケットの在庫量及び納期に関する情報が提示されることを制限する手段と、
を更に含むことを特徴とする請求項１１に記載のガスケット締付計算システム。
【請求項１３】
前記発注処理手段は、前記指定されたガスケットの発注処理に応じて、前記複数のガスケットのそれぞれの在庫量及び納期に関する情報を更新する、
ことを特徴とする請求項１１又は１２に記載のガスケット締付計算システム。
【請求項１４】
複数種類のガスケットの各々と、ガスケット係数、最小設計締付圧力、及び内部流体の種類に応じた最小締付面圧と、を関連付けたデータベースを記憶する記憶手段の記憶内容を取得するステップと、
前記複数種類のガスケットの何れかと、当該ガスケットに関するサイズ及び圧力と、内部流体の種類と、のユーザによる指定を受け付ける受付ステップと、
前記指定されたサイズに対応する有効幅及び有効径と、前記指定された圧力と、前記指定されたガスケットのガスケット係数と、に基づいて、内圧でフランジが開かないために必要なガスケットの第１締付力を算出する第１締付力算出ステップと、
前記有効幅及び前記有効径と、前記指定されたガスケットの最小設計締付圧力と、に基づいて、内部流体の浸透漏れ又は接面漏れが生じないために必要なガスケットの第２締付力を算出する第２締付力算出ステップと、
前記指定されたサイズに対応するガスケット接触面積と、前記指定されたガスケット及び内部流体の種類に対応する最小締付面圧と、を乗算して第３締付力を算出する第３締付力算出ステップと、
前記指定されたガスケットを締め付けるボルトに関する情報を取得する取得ステップと、
前記第１締付力、前記第２締付力、及び前記第３締付力のうち最大のものと、前記ボルトに関する情報と、に基づいて、内部流体が漏れないために必要なボルトの最小締付トルクを算出する最小締付トルク算出ステップと、
前記指定されたガスケットに関連付けて、前記最小締付トルクを前記ユーザに提示する提示ステップと、
を含むガスケット締付計算システムの制御方法であって、
前記受付ステップは、前記提示ステップにより前記最小締付トルクが提示された場合、前記指定されたガスケットの前記ユーザによる発注操作を受け付け、更に、前記指定されたガスケットを使用する機器について、前記ユーザによる指定を受け付け、
前記ガスケット締付計算システムの制御方法は、
前記ユーザによる発注操作を受け付けた場合、前記指定されたガスケットの発注処理を実行する発注処理実行ステップと、
前記発注処理ステップによる発注処理が実行される場合に、前記指定された機器に関連付けて前記ユーザにより発注されたガスケットに関する発注情報であって、過去の発注時において前記ユーザが指定したガスケットの種類と、ガスケットに関するサイズ及び圧力と、内部流体の種類と、に関する情報を含む発注情報を記録するステップと、
を更に含み、
前記提示ステップは、前記発注情報が記録された後に前記ユーザにより機器が指定された場合、当該指定された機器に関連付けられた前記発注情報を前記ユーザに提示し、
前記第１締付力算出ステップ、前記第２締付力算出ステップ、及び前記第３締付算出ステップのそれぞれは、過去の発注時の前記発注情報に基づいて、前記第１締付力、前記第２締付力、及び前記第３締付力のそれぞれを算出する、
ことを特徴とするガスケット締付計算システムの制御方法。
【請求項１５】
複数種類のガスケットの各々と、ガスケット係数、最小設計締付圧力、及び内部流体の種類に応じた最小締付面圧と、を関連付けたデータベースを記憶する記憶手段の記憶内容を取得する手段、
前記複数種類のガスケットの何れかと、当該ガスケットに関するサイズ及び圧力と、内部流体の種類と、のユーザによる指定を受け付ける受付手段、
前記指定されたサイズに対応する有効幅及び有効径と、前記指定された圧力と、前記指定されたガスケットのガスケット係数と、に基づいて、内圧でフランジが開かないために必要なガスケットの第１締付力を算出する第１締付力算出手段、
前記有効幅及び前記有効径と、前記指定されたガスケットの最小設計締付圧力と、に基づいて、内部流体の浸透漏れ又は接面漏れが生じないために必要なガスケットの第２締付力を算出する第２締付力算出手段、
前記指定されたサイズに対応するガスケット接触面積と、前記指定されたガスケット及び内部流体の種類に対応する最小締付面圧と、を乗算して第３締付力を算出する第３締付力算出手段、
前記指定されたガスケットを締め付けるボルトに関する情報を取得する取得手段、
前記第１締付力、前記第２締付力、及び前記第３締付力のうち最大のものと、前記ボルトに関する情報と、に基づいて、内部流体が漏れないために必要なボルトの最小締付トルクを算出する最小締付トルク算出手段、
前記指定されたガスケットに関連付けて、前記最小締付トルクを前記ユーザに提示する提示手段、
としてコンピュータを機能させるためのプログラムであって、
前記受付手段は、前記提示手段により前記最小締付トルクが提示された場合、前記指定されたガスケットの前記ユーザによる発注操作を受け付け、更に、前記指定されたガスケットを使用する機器について、前記ユーザによる指定を受け付け、
前記コンピュータを、
前記ユーザによる発注操作を受け付けた場合、前記指定されたガスケットの発注処理を実行する発注処理実行手段、
前記発注処理手段による発注処理が実行される場合に、前記指定された機器に関連付けて前記ユーザにより発注されたガスケットに関する発注情報であって、過去の発注時において前記ユーザが指定したガスケットの種類と、ガスケットに関するサイズ及び圧力と、内部流体の種類と、に関する情報を含む発注情報を記録する手段、
として更に機能させ、
前記提示手段は、前記発注情報が記録された後に前記ユーザにより機器が指定された場合、当該指定された機器に関連付けられた前記発注情報を前記ユーザに提示し、
前記第１締付力算出手段、前記第２締付力算出手段、及び前記第３締付算出手段のそれぞれは、過去の発注時の前記発注情報に基づいて、前記第１締付力、前記第２締付力、及び前記第３締付力のそれぞれを算出する、
ことを特徴とするプログラム。
【発明の詳細な説明】
【技術分野】
【０００１】
本発明は、ガスケット締付計算システム、ガスケット締付計算システムの制御方法、及び、プログラムに関する。
【背景技術】
【０００２】
従来から、配管等にガスケットを挟み込んで圧縮することにより、隙間を塞いで内部流体の漏れや外部からの異物の侵入を防止する技術が知られている。例えば、特許文献１には、フランジ面の凹凸が大きくても、比較的弱い締付力で適切なシーリングを実現するガスケットが記載されている。また、非特許文献１には、内部流体をシールするために必要なガスケットの締付力を計算する方法が記載されている。
【先行技術文献】
【特許文献】
【０００３】
【特許文献１】特開２００７−９２９０４号公報
【非特許文献１】ＪＩＳ  Ｂ  ８２６５：２０１０
【発明の概要】
【発明が解決しようとする課題】
【０００４】
上記のような技術では、使用条件（例えば、内部流体の種類や温度等）に合うガスケットをユーザが選定して正確に取りつけなければ、機器の動作不能や故障が発生する可能性がある。例えば、ガスケットの締付力が弱ければ、内部流体が漏れる可能性があるので、ユーザは、ボルトの締付トルクを正確に把握する必要がある。
【０００５】
この点、ユーザの使用条件によっては、非特許文献１で定まる締付トルクでは不足することがある。このため、ユーザは、使用条件を考慮した他の計算方法も用いて締付トルクを検討することが望ましい。しかしながら、メーカーが提供するガスケットの種類は多岐にわたり、ガスケットの選定時に考慮すべき条件も多いことから、ユーザが正確な締付トルクを検討しようとすると、ガスケットの選定に手間がかかってしまう可能性がある。
【０００６】
本発明は上記課題に鑑みてなされたものであって、その目的は、正確な締付トルクを把握する際のユーザの負担を軽減することが可能なガスケット締付計算システム、ガスケット締付計算システムの制御方法、及び、プログラムを提供することにある。
【課題を解決するための手段】
【０００７】
上記課題を解決するために、本発明に係るガスケット締付計算システムは、複数種類のガスケットの各々と、ガスケット係数、最小設計締付圧力、及び内部流体の種類に応じた最小締付面圧と、を関連付けたデータベースを記憶する記憶手段と、前記複数種類のガスケットの何れかと、当該ガスケットに関するサイズ及び圧力と、内部流体の種類と、のユーザによる指定を受け付ける受付手段と、前記指定されたサイズに対応する有効幅及び有効径と、前記指定された圧力と、前記指定されたガスケットのガスケット係数と、に基づいて、内圧でフランジが開かないために必要なガスケットの第１締付力を算出する第１締付力算出手段と、前記有効幅及び前記有効径と、前記指定されたガスケットの最小設計締付圧力と、に基づいて、内部流体の浸透漏れ又は接面漏れが生じないために必要なガスケットの第２締付力を算出する第２締付力算出手段と、前記指定されたサイズに対応するガスケット接触面積と、前記指定されたガスケット及び内部流体の種類に対応する最小締付面圧と、を乗算して第３締付力を算出する第３締付力算出手段と、前記指定されたガスケットを締め付けるボルトに関する情報を取得する取得手段と、前記第１締付力、前記第２締付力、及び前記第３締付力のうち最大のものと、前記ボルトに関する情報と、に基づいて、内部流体が漏れないために必要なボルトの最小締付トルクを算出する最小締付トルク算出手段と、前記指定されたガスケットに関連付けて、前記最小締付トルクを前記ユーザに提示する提示手段と、を含むことを特徴とする。
【０００８】
また、本発明に係るガスケット締付計算システムの制御方法は、複数種類のガスケットの各々と、ガスケット係数、最小設計締付圧力、及び内部流体の種類に応じた最小締付面圧と、を関連付けたデータベースを記憶する記憶手段の記憶内容を取得するステップと、前記複数種類のガスケットの何れかと、当該ガスケットに関するサイズ及び圧力と、内部流体の種類と、のユーザによる指定を受け付ける受付ステップと、前記指定されたサイズに対応する有効幅及び有効径と、前記指定された圧力と、前記指定されたガスケットのガスケット係数と、に基づいて、内圧でフランジが開かないために必要なガスケットの第１締付力を算出する第１締付力算出ステップと、前記有効幅及び前記有効径と、前記指定されたガスケットの最小設計締付圧力と、に基づいて、内部流体の浸透漏れ又は接面漏れが生じないために必要なガスケットの第２締付力を算出する第２締付力算出ステップと、前記指定されたサイズに対応するガスケット接触面積と、前記指定されたガスケット及び内部流体の種類に対応する最小締付面圧と、を乗算して第３締付力を算出する第３締付力算出ステップと、前記指定されたガスケットを締め付けるボルトに関する情報を取得する取得ステップと、前記第１締付力、前記第２締付力、及び前記第３締付力のうち最大のものと、前記ボルトに関する情報と、に基づいて、内部流体が漏れないために必要なボルトの最小締付トルクを算出する最小締付トルク算出ステップと、前記指定されたガスケットに関連付けて、前記最小締付トルクを前記ユーザに提示する提示ステップと、を含むことを特徴とする。
【０００９】
また、本発明に係るプログラムは、複数種類のガスケットの各々と、ガスケット係数、最小設計締付圧力、及び内部流体の種類に応じた最小締付面圧と、を関連付けたデータベースを記憶する記憶手段の記憶内容を取得する手段、前記複数種類のガスケットの何れかと、当該ガスケットに関するサイズ及び圧力と、内部流体の種類と、のユーザによる指定を受け付ける受付手段、前記指定されたサイズに対応する有効幅及び有効径と、前記指定された圧力と、前記指定されたガスケットのガスケット係数と、に基づいて、内圧でフランジが開かないために必要なガスケットの第１締付力を算出する第１締付力算出手段、前記有効幅及び前記有効径と、前記指定されたガスケットの最小設計締付圧力と、に基づいて、内部流体の浸透漏れ又は接面漏れが生じないために必要なガスケットの第２締付力を算出する第２締付力算出手段、前記指定されたサイズに対応するガスケット接触面積と、前記指定されたガスケット及び内部流体の種類に対応する最小締付面圧と、を乗算して第３締付力を算出する第３締付力算出手段、前記指定されたガスケットを締め付けるボルトに関する情報を取得する取得手段、前記第１締付力、前記第２締付力、及び前記第３締付力のうち最大のものと、前記ボルトに関する情報と、に基づいて、内部流体が漏れないために必要なボルトの最小締付トルクを算出する最小締付トルク算出手段、前記指定されたガスケットに関連付けて、前記最小締付トルクを前記ユーザに提示する提示手段、としてコンピュータを機能させる。
【００１０】
また、本発明に係る情報記憶媒体は、上記プログラムを記録したコンピュータ読み取り可能な情報記憶媒体である。
【００１１】
また、本発明の一態様では、前記データベースには、前記複数種類のガスケットの各々と、許容面圧と、が関連付けられており、前記ガスケット締付計算システムは、前記ガスケット接触面積と、前記指定されたガスケットの許容面圧と、を乗算して許容締付力を算出する手段と、前記許容締付力と前記ボルトに関する情報とに基づいて、前記指定されたガスケットを圧縮破壊させないためのボルトの許容締付トルクを算出する手段と、を更に含み、前記提示手段は、前記指定されたガスケットに関連付けて、前記許容締付トルクを前記ユーザに提示する、ことを特徴とする。
【００１２】
また、本発明の一態様では、前記ガスケット締付計算システムは、前記最小締付トルクと前記ボルトに関する情報とに基づいて、前記指定されたガスケットを前記最小締付トルクで締め付けた場合にボルトにかかる応力を算出する応力算出手段を更に含み、前記提示手段は、前記指定されたガスケットに関連付けて、前記算出された応力を前記ユーザに提示する、ことを特徴とする。
【００１３】
また、本発明の一態様では、前記ボルトに関する情報は、ボルトの耐久応力に関する情報を含み、前記ガスケット締付計算システムは、前記算出された応力が前記耐久応力を超えたか否かを判定する応力判定手段を更に含み、前記提示手段は、前記応力判定手段の判定結果を前記ユーザに提示する、ことを特徴とする。
【００１４】
また、本発明の一態様では、前記ボルトに関する情報は、複数種類のボルトの各々の耐久応力に関する情報を含み、前記ガスケット締付計算システムは、前記複数種類のボルトのうち、前記算出された応力よりも前記耐久応力が大きいボルトを検索する手段を更に含み、前記提示手段は、前記算出された応力が前記耐久応力を超えたと判定された場合、前記検索された他のボルトを前記ユーザに提示する、ことを特徴とする。
【００１５】
また、本発明の一態様では、前記ガスケット締付計算システムは、前記複数種類のガスケットのうちから、前記応力算出手段により算出される応力が当該耐久応力を超えないガスケットを検索する手段を更に含み、前記提示手段は、前記算出された応力が前記耐久応力を超えたと判定された場合、前記検索された他のガスケットを前記ユーザに提示する、ことを特徴とする。
【００１６】
また、本発明の一態様では、前記データベースには、前記複数種類のガスケットの各々と使用可能条件とが関連付けられており、前記受付手段は、前記指定されたガスケットの使用条件について、前記ユーザによる指定を受け付け、前記ガスケット締付計算システムは、前記指定された使用条件が、前記指定されたガスケットに関連付けられた使用可能条件を満たすか否かを判定する使用可否判定手段を更に含み、前記提示手段は、前記使用可否判定手段の判定結果を、前記ユーザに提示する、ことを特徴とする。
【００１７】
また、本発明の一態様では、前記ボルトに関する情報は、ボルトの耐久応力に関する情報を含み、前記ガスケット締付計算システムは、前記耐久応力に基づいて、ボルトに許容される締付トルクを算出する手段を更に含み、前記提示手段は、前記指定されたガスケットに関連付けて、前記ボルトに許容される締付トルクを前記ユーザに提示する、ことを特徴とする。
【００１８】
また、本発明の一態様では、前記受付手段は、前記提示手段により前記最小締付トルクが提示された場合、前記指定されたガスケットの前記ユーザによる発注操作を受け付け、前記ガスケット締付計算システムは、前記ユーザによる発注操作を受け付けた場合、前記指定されたガスケットの発注処理を実行する発注処理実行手段、を更に含むことを特徴とする。
【００１９】
また、本発明の一態様では、前記受付手段は、ガスケット使用時のボルトに関する情報の前記ユーザによる指定を受け付け、前記ボルトに関する情報は、ボルトの耐久応力に関する情報を含み、前記ガスケット締付計算システムは、前記最小締付トルクと前記ボルトに関する情報とに基づいて、前記指定されたガスケットを前記最小締付トルクで締め付けた場合に前記指定されたボルトにかかる応力を算出する応力算出手段と、前記算出された応力が前記耐久応力を超えたか否かを判定する応力判定手段と、前記応力判定手段により前記耐久応力を超えたと判定された場合に、前記発注処理実行手段による発注処理の実行を制限する手段と、を更に含むことを特徴とする。
【００２０】
また、本発明の一態様では、前記発注処理実行手段は、前記指定されたガスケットの発注処理を実行する場合、前記最小締付トルクを、当該ガスケットが発送される際の添付用紙に印刷する、ことを特徴とする。
【００２１】
また、本発明の一態様では、前記ガスケット締付計算システムは、前記複数種類のガスケットの各々の在庫量及び納期に関する情報を記憶する手段を更に含み、前記提示手段は、前記最小締付トルクを前記ユーザに提示した場合、前記指定されたガスケットの在庫量及び納期に関する情報を、前記ユーザに提示する、ことを特徴とする。
【００２２】
また、本発明の一態様では、前記受付手段は、ガスケット使用時のボルトに関する情報の前記ユーザによる指定を受け付け、前記ボルトに関する情報は、ボルトの耐久応力に関する情報を含み、前記ガスケット締付計算システムは、前記最小締付トルクと前記ボルトに関する情報とに基づいて、前記指定されたガスケットを前記最小締付トルクで締め付けた場合に前記指定されたボルトにかかる応力を算出する応力算出手段と、前記算出された応力が前記耐久応力を超えたか否かを判定する応力判定手段と、前記応力判定手段により前記耐久応力を超えたと判定された場合に、前記指定されたガスケットの在庫量及び納期に関する情報が提示されることを制限する手段と、を更に含むことを特徴とする。
【００２３】
また、本発明の一態様では、前記発注処理手段は、前記指定されたガスケットの発注処理に応じて、前記複数のガスケットのそれぞれの在庫量及び納期に関する情報を更新する、ことを特徴とする。
【００２４】
また、本発明の一態様では、前記受付手段は、前記指定されたガスケットを使用する機器について、前記ユーザによる指定を受け付け、前記ガスケット締付計算システムは、前記発注処理手段による発注処理が実行される場合に、前記指定された機器に関連付けて前記ユーザにより発注されたガスケットに関する発注情報を記録する手段を更に含み、前記提示手段は、前記発注情報が記録された後に前記ユーザにより機器が指定された場合、当該指定された機器に関連付けられた前記発注情報を前記ユーザに提示する、ことを特徴とする。
【００２５】
また、本発明の一態様では、前記発注情報には、過去の発注時において前記ユーザが指定したガスケットの種類と、ガスケットに関するサイズ及び圧力と、内部流体の種類と、に関する情報を含み、前記第１締付力算出手段、前記第２締付力算出手段、及び前記第３締付算出手段のそれぞれは、過去の発注時の前記発注情報に基づいて、前記第１締付力、前記第２締付力、及び前記第３締付力のそれぞれを算出する、ことを特徴とする。
【発明の効果】
【００２６】
本発明によれば、正確な締付トルクを把握する際のユーザの負担を軽減することができる。
【図面の簡単な説明】
【００２７】
【図１】本実施形態に係るガスケット締付計算システムの全体構成を示す図である。
【図２】ガスケット締付計算システムで実現される機能のうち、本発明に関連する機能を示す機能ブロック図である。
【図３】締付計算データベースの一例を示す図である。
【図４】設定基準データベースの一例を示す図である。
【図５】推奨ガスケットデータベースの一例を示す図である。
【図６】表示部に表示される入力画面の一例である。
【図７】表示部に表示される締付計算結果画面の一例を示す図である。
【図８】アラートが表示された締付計算結果画面の一例を示す図である。
【図９】ガスケット締付計算システムが実行する処理を示すフロー図である。
【図１０】変形例の機能ブロック図である。
【図１１】変形例（１）における締付計算結果画面の一例を示す図である。
【図１２】変形例（２）における締付計算結果画面の一例を示す図である。
【図１３】変形例（３）における締付計算結果画面の一例を示す図である。
【図１４】変形例（４）における締付計算結果画面の一例を示す図である。
【発明を実施するための形態】
【００２８】
［１．ガスケット締付計算システムの全体構成］
以下、本発明の実施形態の一例について図面に基づき詳細に説明する。図１は、本実施形態に係るガスケット締付計算システムの全体構成を示す図である。図１に示すように、ガスケット締付計算システム１は、ユーザ装置１０及びサーバ装置２０を含む。ユーザ装置１０及びサーバ装置２０は、ネットワークＮを介して互いにデータ送受信可能に接続される。なお、図１では、ユーザ装置１０を複数台として説明するが、ユーザ装置１０は、１台であってもよい。また、サーバ装置２０を１台として説明するが、サーバ装置２０は、複数台であってもよい。
【００２９】
ユーザ装置１０は、パーソナルコンピュータや携帯端末（スマートフォンやタブレット型端末）等により実現される。ユーザ装置１０は、ユーザにより操作される。例えば、ガスケットを購入する顧客やガスケットメーカーの営業担当が、ユーザ装置１０を操作するユーザに相当する。
【００３０】
ユーザ装置１０は、例えば、ＣＰＵ等からなる制御部１１と、各種プログラム（アプリケーション）や当該プログラムを実行するために必要な各種データを記憶する記憶部１２と、キーボードやポインティングデバイス（例えば、マウスやタッチパネル）等からなる操作部１３と、液晶ディスプレイ等からなる表示部１４と、他の装置と有線又は無線で通信を行うためのネットワークカード等からなる通信部１５と、を含んで構成されている。
【００３１】
本実施形態では、ユーザがガスケットを選定する際に利用するプログラム（以降、単にガスケットアプリという）が、記憶部１２に記憶されている。なお、ガスケットには、予め定められた寸法の規格品と、顧客の要求に応じて寸法する個別寸法品と、があるが、ここでは説明の簡略化のため、ユーザが規格品を選定する場合について説明する。
【００３２】
サーバ装置２０は、サーバコンピュータであり、例えば、ガスケットメーカーにより管理される。サーバ装置２０は、例えば、ＣＰＵ等からなる制御部２１と、各種プログラムや当該プログラムを実行するために必要な各種データを記憶する記憶部２２と、他の装置と有線又は無線で通信を行うためのネットワークカード等からなる通信部２３と、を含んで構成されている。サーバ装置２０は、ユーザ装置１０からの要求に応じて、記憶部２２に記憶されたデータやプログラムをユーザ装置１０に配信する。なお、ここでは、データやプログラムが記憶部２２に記憶されている場合を説明するが、これらは、サーバ装置２０に接続されたデータベースサーバに記憶されるようにしてもよい。
【００３３】
また、ユーザ装置１０及びサーバ装置２０は、種々のコンピュータのハードウェアを適用可能である。例えば、ユーザ装置１０及びサーバ装置２０は、情報記憶媒体の読取装置を含んでいてもよい。更に、本実施形態において、記憶部１２又は記憶部２２に記憶されるものとして説明するプログラムや各種データは、光ディスクやフラッシュメモリ等の外部記憶媒体から取得されるようにしてもよいし、ネットワークを介して外部コンピュータから取得されるようにしてもよい。
【００３４】
［２．ガスケット締付計算システムにおいて実現される機能］
図２は、ガスケット締付計算システム１で実現される機能のうち、本発明に関連する機能を示す機能ブロック図である。図２に示すように、ガスケット締付計算システム１は、データベース記憶部３０、ガスケット情報取得部３１、ボルト情報取得部３２、受付部３３、第１締付力算出部３４、第２締付力算出部３５、第３締付力算出部３６、最小締付トルク算出部３７、許容締付力算出部３８、許容締付トルク算出部３９、応力算出部４０、応力判定部４１、使用可否判定部４２、及び提示部４３を実現する。
【００３５】
これら各機能は、制御部１１がガスケットアプリを実行することによって実現される。本実施形態では、データベース記憶部３０は、記憶部２２を主として実現され、他の各機能は、制御部１１を主として実現される。なお、データベース記憶部３０、ボルト情報取得部３２、受付部３３、第１締付力算出部３４、第２締付力算出部３５、第３締付力算出部３６、及び提示部４３以外の機能は、省略するようにしてもよい。
【００３６】
［２−１．データベース記憶部］
データベース記憶部３０は、ガスケットに関する各種情報が格納されたガスケットデータベースを記憶する。例えば、ガスケットデータベースは、ガスケットの締付計算を実行するために必要なデータを格納した締付計算データベースと、各ガスケットに設定された値を格納した設定基準データベースと、各ガスケットと使用可能条件とを関連付けた推奨ガスケットデータベースと、を含む。
【００３７】
図３は、締付計算データベースの一例を示す図である。本実施形態では、締付計算データベースには、複数種類のガスケットの各々と、圧力に関する規格である圧力クラス（フランジ規格）と、ガスケットの大きさに関する規格であるサイズ（呼び径）と、ガスケットの内径及び外径（単位は、［ｍｍ］とする。）と、フランジのうちガスケットと接する部分の径であるフランジ座ＲＦ径（単位は、［ｍｍ］とする。）と、ガスケットを締め付けるボルトに関する情報と、ガスケットの内圧Ｐ（単位は、［ＭＰａ］とする。）と、が関連付けられている。
【００３８】
ここでは、規格品のガスケットを例に挙げて説明するので、圧力クラス（フランジ規格）及びサイズ（呼び径）には、例えば、ＪＩＳ等の規格で規定される記号列が格納される。また、ボルトに関する情報は、同じレコードに格納されたガスケットを締め付ける際に用いられるボルトに関する情報であり、例えば、ボルトの本数ｎ、ボルトの種類、ボルトの外径Ｄ（単位は［ｍｍ］とする。）、及びボルト谷径断面積（単位は［ｍｍ２］とする。）を含む。
【００３９】
図４は、設定基準データベースの一例を示す図である。本実施形態では、設定基準データベースには、複数種類のガスケットの各々と、ガスケット係数ｍ、ガスケットがフランジ座に馴染むために必要な圧力である最小設計締付圧力ｙ（単位は［Ｎ／ｍｍ２］とする。）、内部流体の種類に応じた最小締付面圧σ３（内部流体をシールするために必要な面圧であり、単位は［Ｎ／ｍｍ２］とする。）、及びガスケットに許容される面圧である許容面圧ｐ（単位は［Ｎ／ｍｍ２］とする。）と、が関連付けられている。最小締付面圧σ３は、内部流体の種類に応じて値が異なるように設定されている。
【００４０】
なお、図４では省略しているが、特定種類のガスケットについては、厚みに応じて、ガスケット係数ｍ、最小設計締付圧力ｙ、及び許容面圧ｐのうちの少なくとも一つが異なるようにしてもよい。
【００４１】
図５は、推奨ガスケットデータベースの一例を示す図である。図５に示すように、推奨ガスケットデータベースは、ガスケットの使用可能条件（ここでは、内部流体、温度、及び圧力）と、当該使用可能条件のときに推奨するガスケット（又は、使用可能なガスケット）の種類と、が関連付けられている。使用可能条件には、例えば、内部流体の種類、使用時の温度の範囲、及び使用時の圧力の範囲が定義されている。なお、推奨するガスケットの種類は、一つであってもよいし、複数種類であってもよい。複数種類である場合には、ユーザに推奨する優先度が定められているようにしてもよい。
【００４２】
また、データベース記憶部３０は、複数種類のボルトの各々に関する各種情報が格納されたボルトデータベースを記憶するようにしてもよい。ボルトデータベースには、ユーザにより指定されたガスケットを締め付けるボルトに関する情報が格納されている。本実施形態では、ボルトデータベースは、複数種類のボルトの各々の耐久応力を含む。耐久応力は、ボルトに許容される応力であり、ボルトを破壊しないための限界応力ともいえる。なお、耐久応力は、ユーザごとに異なるようにしてもよいし、ガスケットの種類に応じて異なるようにしてもよい。例えば、ユーザによっては、ボルトが破壊される応力の５０％の値を耐久応力とするようにしてもよい。
【００４３】
なお、データベース記憶部３０に記憶されるデータは、上記の例に限られない。データベース記憶部３０は、各ガスケットの締付計算を実行するために必要なデータを記憶すればよい。例えば、締付計算データベース、設定基準データベース、及び推奨ガスケットデータベースのデータ格納例は、図３〜図５に示す例に限られない。
【００４４】
［２−２．ガスケット情報取得部，ボルト情報取得部］
ガスケット情報取得部３１は、データベース記憶部３０に記憶された締付計算データベース、設定基準データベース、及び推奨ガスケットデータベースを取得する。ボルト情報取得部３２は、ボルトデータベースや締付計算データベースに格納されたボルトに関する情報を取得する。
【００４５】
［２−３．受付部］
受付部３３は、複数種類のガスケットの何れかと、当該ガスケットに関するサイズ及び圧力と、内部流体の種類と、のユーザによる指定を受け付ける。受付部３３は、締付計算の対象とするガスケットに関する情報を入力するための入力画面から、これらの指定を受け付ける。
【００４６】
図６は、表示部１４に表示される入力画面の一例である。図６に示すように、入力画面６０には、ガスケットの種類を指定するための種類指定フォーム６１と、ガスケットに関する圧力クラスを指定するための圧力クラス指定フォーム６２と、ガスケットに関するサイズを指定するためのサイズ指定フォーム６３と、内部流体の種類を指定するための流体指定フォーム６４と、を含む。
【００４７】
ユーザは、種類指定フォーム６１に、複数種類のガスケットのうちの何れかを指定する。例えば、ユーザは、ガスケットを一意に識別するための製品番号を種類指定フォーム６１に入力する。なお、複数種類の厚さが存在するガスケットについては、種類指定フォーム６１において、ガスケットの種類と厚さとが指定できるようにしてもよい。
【００４８】
ユーザは、圧力クラス指定フォーム６２に、複数種類の圧力クラスのうちの何れかを指定する。例えば、ユーザは、規格で定められた圧力クラス（フランジ径）を示す記号列を、圧力クラス指定フォーム６２に入力する。ユーザは、サイズ指定フォーム６３に、複数種類のサイズの規格のうちの何れかを指定する。例えば、ユーザは、規格で定められたサイズ（呼び径）を示す記号列をサイズ指定フォーム６３に入力する。ユーザは、流体指定フォーム６４に、複数種類の流体（例えば、水及び油系と、ガス系と、の何れか）のうちの何れかを指定する。
【００４９】
本実施形態では、受付部３３は、ユーザにより指定されたガスケットの使用条件について、当該ユーザによる指定を受け付ける。例えば、入力画面６０には、使用温度指定フォーム６５と、使用時圧力指定フォーム６６と、使用ボルト指定フォーム６７と、が表示される。なお、これらのフォームへの入力は、締付計算を行うためには必須ではなく、ユーザが指定したガスケットが、これらの使用条件のもとで使用可能か否かを判定するために用いられる。ユーザは、ガスケット使用時に想定する温度及び圧力を、それぞれ、使用温度指定フォーム６５及び使用時圧力指定フォーム６６に入力する。また、ユーザは、ガスケット使用時のボルトに関する情報を、使用ボルト指定フォーム６７に入力する。
【００５０】
ユーザが計算ボタン６８を選択すると、入力された条件に基づいてガスケットの締付計算処理が実行される。更に、使用温度指定フォーム６５、使用時圧力指定フォーム６６、及び使用ボルト指定フォーム６７に入力が行われた場合は、ユーザが指定したガスケットの使用可否の判定処理が実行される。
【００５１】
なお、各フォームには、ユーザに記号列を直接入力させるようにしてもよいし、ガスケットの種類、圧力クラス、及びサイズ等の入力候補を提示したうえで、ユーザに選択させることによって、フォームに各情報が入力されるようにしてもよい。
【００５２】
［２−４．第１締付力算出部］
第１締付力算出部３４は、ユーザにより指定されたサイズに対応する有効幅ｂ及び有効径Ｇと、ユーザにより指定された圧力（例えば、圧力クラスに対応する内圧Ｐ）と、ユーザにより指定されたガスケットのガスケット係数ｍと、に基づいて、内圧Ｐでフランジが開かないために必要なガスケットの第１締付力Ｗｍ１を算出する。
【００５３】
有効幅ｂは、ガスケットがフランジに接触している部分のうち、内部流体をシールしている部分の幅のことである。第１締付力算出部３４は、下記の計算式により、有効幅ｂ（単位は、［ｍｍ］とする。）を算出する。
（式１−１）ｂ０＝ｗ１／２
（式１−２）ｂ０≦６．３５［ｍｍ］の場合は、ｂ＝ｂ０
（式１−３）ｂ０＞６．３５［ｍｍ］の場合は、ｂ＝２．５２√ｂ０
ｗ１：ガスケットの接触幅。単位は、［ｍｍ］とする。接触幅は、「（ガスケット接触外径−ガスケット内径）／２」とする。ガスケット接触外径は、ガスケット外径とフランジ座ＲＦ径とのうちの小さい方である。
ｂ０：ガスケットの基本幅。単位は、［ｍｍ］とする。
【００５４】
有効径Ｇは、ガスケットのうち、内部流体をシールしている部分よりも内側の径のことである。第１締付力算出部３４は、下記の計算式により、有効径Ｇ（単位は、［ｍｍ］とする。）を算出する。
（式２−１）ｂ０≦６．３５［ｍｍ］の場合は、Ｇ＝ｗ２
（式２−２）ｂ０＞６．３５［ｍｍ］の場合は、Ｇ＝ｗ３−２ｂ
ｗ２：ガスケット接触面の平均径。単位は、［ｍｍ］とする。
ｗ３：ガスケット接触外径。単位は、［ｍｍ］とする。
【００５５】
第１締付力算出部３４は、上記算出された有効幅ｂ及び有効径Ｇに基づいて、下記の計算式により、第１締付力Ｗｍ１を算出する。
（式３−１）Ｈ＝πＧ２Ｐ／４
（式３−２）Ｈｐ＝２πｂＧｍＰ
（式３−３）Ｗｍ１＝Ｈ＋Ｈｐ＝πＧＰ（Ｇ＋８ｂｍ）／４
Ｐ：内圧
Ｈ：フランジを開こうとする圧力（エンドフォース）。単位は、［Ｎ］とする。
ｍ：ガスケット係数
Ｈｐ：内圧Ｐの場合に内部流体をシールするために必要な圧力。単位は［Ｎ］とする。
【００５６】
［２−５．第２締付力算出部］
第２締付力算出部３５は、有効幅ｂ及び有効径Ｇと、ユーザにより指定されたガスケットの最小設計締付圧力ｙと、に基づいて、内部流体の浸透漏れ又は接面漏れが生じないために必要なガスケットの第２締付力Ｗｍ２を算出する。第２締付力算出部３５は、上記算出された有効幅ｂ及び有効径Ｇに基づいて、下記の計算式により、第２締付力Ｗｍ２を算出する。
（式４）Ｗｍ２＝πｂＧｙ
ｙ：最小設計締付圧力
【００５７】
［２−６．第３締付力算出部］
第３締付力算出部３６は、ユーザにより指定されたサイズに対応するガスケット接触面積Ａｇ（単位は［ｍｍ２］とする。）と、ユーザにより指定されたガスケット及び内部流体の種類に対応する最小締付面圧σ３と、を乗算して第３締付力Ｗｍ３を算出する。第３締付力Ｗｍ３は、ユーザの使用条件を考慮した締付力といえる。第３締付力算出部３６は、下記の計算式により、第３締付力Ｗｍ３を算出する。
（式５）Ｗｍ３＝σ３Ａｇ
σ３：最小締付面圧
Ａｇ：ガスケット接触面積。例えば、π｛（ガスケット接触外径の半分）２−（ガスケット内径の半分）２｝
【００５８】
［２−７．最小締付トルク算出部］
最小締付トルク算出部３７は、第１締付力Ｗｍ１、第２締付力Ｗｍ２、及び第３締付力Ｗｍ３のうち最大のものと、ボルトに関する情報と、に基づいて、内部流体が漏れないために必要なボルトの最小締付トルクＴｍｉｎを算出する。最小締付トルク算出部３７は、下記の計算式により、最小締付トルクＴｍｉｎを算出する。
（式６）Ｔｍｉｎ＝ＫＷｍａｘＤ／１０００ｎ
Ｋ：トルク係数。本実施形態では、０．２０とする。
Ｗｍａｘ：第１締付力Ｗｍ１、第２締付力Ｗｍ２、及び第３締付力Ｗｍ３のうち最大のもの
Ｄ：ボルト外径
ｎ：ボルト本数
【００５９】
［２−８．許容締付力算出部］
許容締付力算出部３８は、ガスケット接触面積Ａｇと、ユーザにより指定されたガスケットの許容面圧ｐと、を乗算して許容締付力Ｗｍ４を算出する。許容締付力算出部３８は、下記の計算式により、許容締付力Ｗｍ４を算出する。
（式７）Ｗｍ４＝ｐＡｇ
ｐ：許容面圧
Ａｇ：ガスケット接触面積
【００６０】
［２−９．許容締付トルク算出部］
許容締付トルク算出部３９は、許容締付力Ｗｍ４とボルトに関する情報とに基づいて、指定されたガスケットを圧縮破壊させないためのボルトの許容締付トルクＴｍａｘを算出する。許容締付トルク算出部３９は、下記の計算式により、許容締付トルクＴｍａｘを算出する。
（式８）Ｔｍａｘ＝ＫＷｍ４Ｄ／１０００ｎ
Ｋ：トルク係数。本実施形態では、０．２０とする。
Ｄ：ボルト外径
ｎ：ボルトの本数
【００６１】
［２−１０．応力算出部］
応力算出部４０は、最小締付トルクＴｍｉｎとボルトに関する情報とに基づいて、ユーザにより指定されたガスケットを最小締付トルクＴｍｉｎで締め付けた場合にボルトにかかる応力Ｆｍｉｎを算出する。応力算出部４０は、下記の計算式により、ボルトにかかる応力Ｆｍｉｎを算出する。
（式９）Ｆｍｉｎ＝Ｗｍａｘ／Ｓ
Ｓ：ボルト総谷断面積。即ち、ボルト谷断面積にボルトの本数ｎを乗じた値。
【００６２】
［２−１１．応力判定部］
応力判定部４１は、応力算出部４０により算出された応力Ｆｍｉｎが耐久応力を超えたか否かを判定する。例えば、応力判定部４１は、締付計算データベースを参照し、ユーザにより指定されたガスケットを締め付けるボルトの種類を特定する。そして、応力判定部４１は、ボルトデータベースを参照し、当該種類のボルトに関連付けられた耐久応力と、応力Ｆｍｉｎと、を比較する。
【００６３】
［２−１２．使用可否判定部］
使用可否判定部４２は、ユーザにより指定された使用条件が、当該ユーザにより指定されたガスケットに関連付けられた使用可能条件を満たすか否かを判定する。例えば、使用可否判定部４２は、推奨ガスケットデータベースを参照して、ユーザが指定したガスケットに関連付けられた使用可能条件を取得する。そして、使用可否判定部４２は、当該取得された使用可能条件と、ユーザが指定した使用条件と、を比較することによって、ユーザが指定したガスケットの使用可否を判定する。
【００６４】
本実施形態では、使用可否判定部４２は、ユーザが指定した流体、温度、及び圧力が、ユーザが指定したガスケットに関連付けられた流体、温度、及び圧力に関する使用可能条件を満たすか否かを判定する。また、使用可否判定部４２は、締付計算データベースを参照し、ユーザが指定したボルトの種類が、ユーザが指定したガスケットに関連付けられたボルトの種類であるか否かを判定する。
【００６５】
［２−１３．提示部］
提示部４３は、ユーザにより指定されたガスケットに関連付けて、最小締付トルクＴｍｉｎをユーザに提示する。例えば、ユーザにより指定されたガスケットを識別する情報及び最小締付トルクＴｍｉｎを同じ画面で表示させることが、これらを関連付けて提示することに相当する。以降、同様の記載をした場合も同じである。なお、本実施形態における提示とは、画像による提示に限られず、音声による提示であってもよい。
【００６６】
図７は、表示部１４に表示される締付計算結果画面の一例を示す図である。図７に示すように締付計算結果画面７０には、ユーザによる指定内容７１と、最小締付トルクＴｍｉｎを示す最小締付トルク情報７２と、が表示される。
【００６７】
また、本実施形態では、提示部４３は、ユーザにより指定されたガスケットに関連付けて、応力算出部４０により算出された応力Ｆｍｉｎをユーザに提示する。図７に示すように、締付計算結果画面７０には、応力Ｆｍｉｎを示す応力情報７３が表示される。更に、本実施形態では、提示部４３は、ユーザにより指定されたガスケットに関連付けて、許容締付トルクＴｍａｘをユーザに提示する。図７に示すように、締付計算結果画面７０には、許容締付トルクＴｍａｘを示す許容締付トルク情報７４が表示される。
【００６８】
本実施形態では、提示部４３は、使用可否判定部４２の判定結果をユーザに提示する。図７に示すように、ユーザが、使用温度指定フォーム６５、使用時圧力指定フォーム６６、及び使用ボルト指定フォーム６７に入力をした場合は、ユーザが指定したガスケットの使用可否を示す使用可否情報７５が表示される。
【００６９】
また、本実施形態では、提示部４３は、応力判定部４１の判定結果をユーザに提示する。例えば、提示部４３は、応力判定部４１により耐久応力を超えたと判定された場合にユーザにアラートを提示する。提示部４３は、所与の画像又は所与の音声を出力することにより、アラートを提示する。
【００７０】
図８は、アラートが表示された締付計算結果画面７０の一例を示す図である。図８に示すように、締付計算結果画面７０には、応力算出部４０により算出された応力Ｆｍｉｎがボルトの耐久応力を超えたことを示すアラート情報７６が表示される。アラート情報７６は、例えば、他のガスケットやボルトを奨励することを示すメッセージであってもよい。
【００７１】
［３．ガスケット締付計算システムにおいて実行される処理］
図９は、ガスケット締付計算システムが実行する処理を示すフロー図である。図９に示す処理は、ユーザによりガスケットアプリの起動指示が行われた場合に実行される。下記に説明する処理が実行されることにより、図２に示す機能ブロックが実現される。
【００７２】
まず、図９に示すように、制御部１１は、ガスケットアプリを起動し、入力画面６０を表示部１４に表示させる（Ｓ１）。制御部１１は、Ｓ１において入力画面６０を表示させると、各入力フォームへの入力を待ち受けることになる。
【００７３】
制御部１１は、ユーザが各指定フォームに指定内容を入力したか否かを判定する（Ｓ２）。入力したと判定された場合（Ｓ２；Ｙ）、制御部１１は、ユーザによる指定内容を各フォームに反映させる（Ｓ３）。Ｓ３においては、制御部１１は、入力画面６０に表示された各フォームのうち、フォーカスされたフォームに対して、ユーザによる指定内容を入力する。
【００７４】
制御部１１は、ユーザが計算ボタン６８を選択したか否かを判定する（Ｓ４）。計算ボタン６８が選択されたと判定された場合（Ｓ４；Ｙ）、制御部１１は、必須の指定内容が入力されているか否かを判定する（Ｓ５）。Ｓ５においては、制御部１１は、種類指定フォーム６１、圧力クラス指定フォーム６２、サイズ指定フォーム６３、及び流体指定フォーム６４に対してユーザが指定内容を入力したか否かを判定する。
【００７５】
必須の指定内容が入力されていないと判定された場合（Ｓ５；Ｎ）、制御部１１は、エラーメッセージを入力画面６０に表示させ（Ｓ６）、Ｓ２の処理に戻る。この場合、ガスケット締付計算を実行するために必要な情報が足りないので、ユーザに指定内容の入力を促すことになる。
【００７６】
一方、必須の指定内容が入力されたと判定された場合（Ｓ５；Ｙ）、制御部１１は、ユーザが指定したガスケットの使用可否の判定処理を行うか否かを判定する（Ｓ７）。Ｓ７においては、制御部１１は、使用温度指定フォーム６５、使用時圧力指定フォーム６６、及び使用ボルト指定フォーム６７に対してユーザが指定内容を入力したか否かを判定する。
【００７７】
使用可否の判定処理を行うと判定された場合（Ｓ７；Ｙ）、制御部１１は、サーバ装置２０から、締付計算及び使用可否の判定処理に必要なデータを取得する（Ｓ８）。Ｓ８においては、制御部１１は、サーバ装置２０に対して、各フォームに入力された指定内容及びデータの取得要求を送信する。サーバ装置２０においては、これらを受信すると、制御部２１は、締付計算データベース、設定基準データベース、推奨ガスケットデータベース、及びボルトデータベースを参照して、要求されたデータをユーザ装置１０に送信する。
【００７８】
制御部１１は、ユーザが指定したガスケットの使用可否を判定する（Ｓ９）。Ｓ９においては、制御部１１は、ユーザが指定した流体、温度、及び圧力が、ユーザが指定したガスケットに関連付けられた使用可能条件を満たすか否かを判定する。また、制御部１１は、ユーザが指定したボルトの種類と、ユーザが指定したガスケットに関連付けられたボルトの種類と、が一致するか否かを判定する。
【００７９】
一方、使用可否の判定処理を行わないと判定された場合（Ｓ７；Ｎ）、制御部１１は、サーバ装置２０から、締付計算に必要なデータを取得する（Ｓ１０）。この場合、使用可否の判定処理は実行しないので、制御部１１は、推奨ガスケットデータベースに格納されたデータは取得せず、Ｓ８及びＳ９の処理は実行されない。
【００８０】
制御部１１は、第１締付力Ｗｍ１、第２締付力Ｗｍ２、及び第３締付力Ｗｍ３を計算する（Ｓ１１）。Ｓ１１における計算方法は、先述した通りである。制御部１１は、第１締付力Ｗｍ１、第２締付力Ｗｍ２、及び第３締付力Ｗｍ３を比較して最大の締付力Ｗｍａｘを特定する（Ｓ１２）。制御部１１は、当該特定した最大の締付力Ｗｍａｘに基づいて、最小締付トルクＴｍｉｎ及び応力Ｆｍｉｎを計算する（Ｓ１３）。Ｓ１３における計算方法は、先述した通りである。
【００８１】
制御部１１は、サーバ装置２０から受信したデータに基づいて、許容締付力Ｗｍ４及び許容締付トルクＴｍａｘを計算する（Ｓ１４）。Ｓ１４における計算方法は、先述した通りである。制御部１１は、応力Ｆｍｉｎがボルトの耐久応力を超えたか否かを判定する（Ｓ１５）。応力Ｆｍｉｎがボルトの耐久応力を超えたと判定された場合（Ｓ１５；Ｙ）、制御部１１は、アラート情報７６を含む締付計算結果画面７０を表示部１４に表示させる（Ｓ１６）。なお、Ｓ８及びＳ９の処理が実行されている場合、Ｓ１６において、制御部１１は、使用可否情報７５を締付計算結果画面７０に表示させる。
【００８２】
一方、応力Ｆｍｉｎがボルトの耐久応力を超えていないと判定された場合（Ｓ１５；Ｎ）、制御部１１は、アラート情報７６を含まない締付計算結果画面７０を表示部１４に表示させる（Ｓ１７）。なお、Ｓ８及びＳ９の処理が実行されている場合、Ｓ１７において、制御部１１は、使用可否情報７５を締付計算結果画面７０に表示させる。
【００８３】
制御部１１は、終了条件が満たされるか否かを判定する（Ｓ１８）。終了条件は、本処理を終了するために予め定められた条件であればよい。例えば、ユーザによりガスケットアプリの終了指示操作が行われたか否かである。終了条件が満たされると判定された場合（Ｓ１８；Ｙ）、本処理は終了する。終了条件が満たされると判定されない場合（Ｓ１８；Ｎ）、Ｓ２の処理に戻り、別の入力内容に基づいて締付計算が実行される。
【００８４】
以上説明したガスケット締付計算システム１によれば、第１締付力Ｗｍ１、第２締付力Ｗｍ２、及び第３締付力Ｗｍ３を考慮して最小締付トルクＴｍｉｎを算出することにより、ユーザに正確な締付トルクを提示することができるので、締付トルクを検討する際のユーザの負担を軽減することができる。特に、ガスケットの締め付けを実際に行うのはメーカーではなく顧客であるため、顧客がガスケット締付計算システム１を利用することによって、実際にガスケットを締め付ける顧客側で締付トルクの検討をしやすくなる。
【００８５】
また、許容締付トルクＴｍａｘを提示することにより、ガスケットを圧縮破壊しないための締付トルクをユーザに把握させることができる。更に、応力Ｆｍｉｎを提示することにより、ボルトを破壊する可能性をユーザが把握しやすくなる。また、応力Ｆｍｉｎがボルトの耐久応力を超えた場合には、アラート情報７６を提示することにより、ボルトが破壊される可能性があることを、より効果的にユーザに把握させることができる。更に、使用可否情報７５を表示させることにより、ユーザがガスケットを選定する際の負担を軽減することができる。
【００８６】
［４．変形例］
なお、本発明は、以上に説明した実施の形態に限定されるものではない。本発明の趣旨を逸脱しない範囲で、適宜変更可能である。
【００８７】
図１０は、変形例の機能ブロック図である。図１０に示すように、以降説明する変形例では、実施形態の機能に加えて、ボルト検索部４４、ガスケット検索部４５、ボルト許容締付トルク算出部４６、発注処理実行部４７、発注処理制限部４８、提示制限部４９、及び記録部５０が実現される。例えば、ボルト検索部４４、ガスケット検索部４５、発注処理実行部４７、及び記録部５０は、制御部２１を主として実現され、発注処理制限部４８及び提示制限部４９は、制御部１１を主として実現される。
【００８８】
（１）例えば、実施形態においては、応力Ｆｍｉｎがボルトの耐久応力を超えた場合にアラート情報７６が表示されるが、この場合に、耐久応力が応力Ｆｍｉｎよりも大きい他のボルトをユーザに提案するようにしてもよい。
【００８９】
例えば、受付部３３は、複数種類のボルトのうち、ユーザにより指定されたガスケットを締め付けるボルトのユーザによる指定を受け付けるようにしてもよい。この場合、入力画面６０において、ユーザがボルトを指定するためのフォームが表示され、受付部３３は、当該フォームへの入力を受け付ける。例えば、ユーザは、ボルトの種類、本数、及びサイズの指定を行う。ボルト情報取得部３２は、ユーザにより指定されたボルトに関する情報を取得する。また、最小締付トルク算出部３７は、ユーザにより指定された種類のボルトに基づいて、最小締付トルクＴｍｉｎを算出する。最小締付トルクＴｍｉｎの計算方法自体は、実施形態で説明した方法と同様である。
【００９０】
変形例（１）のガスケット締付計算システム１は、ボルト検索部４４を含む。ボルト検索部４４は、複数種類のボルトのうち、応力算出部４０により算出された応力Ｆｍｉｎよりも耐久応力が大きいボルトを検索する。ボルト検索部４４は、ボルトデータベースに格納された各ボルトのうち、耐久応力が応力Ｆｍｉｎよりも大きいボルトを検索する。
【００９１】
例えば、ボルト検索部４４は、ユーザが指定したボルトに対応する他のボルトのうちから、応力Ｆｍｉｎよりも耐久応力が大きいボルトを検索する。対応する他のボルトとは、ユーザが指定したボルトと同一種類又は類似する種類のボルト、及び、ユーザが指定したサイズのボルトと同一サイズ又は類似するサイズ（ユーザが指定したサイズとのずれが基準以内のサイズ）のボルトである。この場合、ボルトデータベースに、類似する種類のボルトどうしの関連付けが定義されているものとする。
【００９２】
例えば、応力判定部４１は、応力算出部４０により算出された応力Ｆｍｉｎが、ユーザにより指定されたボルトの耐久応力を超えたか否かを判定する。即ち、応力判定部４１は、ボルトデータベースを参照し、ユーザにより指定されたボルトに関連付けられた耐久応力を取得して判定処理を実行する。提示部４３は、応力算出部４０により算出された応力Ｆｍｉｎが、ユーザにより指定されたボルトの耐久応力を超えたと判定された場合、ボルト検索部４４により検索された他のボルトをユーザに提示する。
【００９３】
図１１は、変形例（１）における締付計算結果画面７０の一例を示す図である。図１１に示すように、提示部４３は、ボルト検索部４４により検索された他のボルトを識別するボルト情報７７を、締付計算結果画面７０に表示させる。
【００９４】
変形例（１）によれば、ボルトが破損する恐れがある場合には、より最適なボルトをユーザに提案することができる。ユーザは、ボルト情報７７を見ることで、他のボルトの使用を検討しつつ、ガスケット選定を行うことができる。
【００９５】
（２）また例えば、応力Ｆｍｉｎがボルトの耐久応力を超えた場合に、ユーザの使用条件を満たすガスケットのうちで、応力Ｆｍｉｎがボルトの耐久応力を超えないような他のガスケットをユーザに提案するようにしてもよい。
【００９６】
変形例（２）のガスケット締付計算システム１は、ガスケット検索部４５を含む。ガスケット検索部４５は、複数種類のガスケットのうちから、応力算出部４０により算出される応力Ｆｍｉｎが耐久応力を超えないガスケットを検索する。具体的には、ガスケット検索部４５は、まず、ユーザが指定したサイズ、圧力、及び流体の種類に基づいて、応力Ｆｍｉｎが耐久応力を超えないために、ガスケットが満たすべき設計値（例えば、ガスケット係数ｍ、最小設計締付圧力ｙ、最小締付面圧σ３、及び許容面圧ｐ）を逆算して特定する。即ち、通常の締付計算では、これらの設計値は係数として用いられるが、ここでは、因数として用いる。そして、ガスケット検索部４５は、設定基準データベースを参照し、これら設計値を満たすガスケットを抽出する。
【００９７】
なお、ガスケットの検索方法はこれに限られない。例えば、ガスケット検索部４５は、ユーザが指定したサイズ、圧力、及び流体の種類に基づいて、他のガスケットのそれぞれに対応する応力Ｆｍｉｎをいったん算出して、応力Ｆｍｉｎが耐久応力を超えないガスケットを抽出するようにしてもよい。他にも例えば、ユーザが使用条件を指定した場合には、ガスケット検索部４５は、推奨ガスケットデータベースを参照し、当該使用条件を満たす他のガスケットのうちから、ユーザが指定したサイズ、圧力、及び流体の種類に基づいて算出される応力Ｆｍｉｎが耐久応力を超えないものを抽出するようにしてもよい。
【００９８】
提示部４３は、応力算出部４０により算出された応力Ｆｍｉｎが耐久応力を超えていると判定された場合、ガスケット検索部４５により検索された他のガスケットをユーザに提示する。図１２は、変形例（２）における締付計算結果画面７０の一例を示す図である。図１２に示すように、提示部４３は、ガスケット検索部４５により検索された他のガスケットを識別するガスケット情報７８を、締付計算結果画面７０に表示させる。なお、ガスケット情報７８には、当該提示されたガスケットが使用条件に本当に合うか否かを、ユーザが確認することを促すメッセージが含まれているようにしてもよい。
【００９９】
変形例（２）によれば、ボルトが破損する恐れがある場合には、他のガスケットをユーザに提案することで、ユーザがガスケットを選定する際の支援を行うことができる。
【０１００】
（３）また例えば、ボルトの耐久応力に基づいて定まる締付トルクをユーザに提示するようにしてもよい。
【０１０１】
変形例（３）のガスケット締付計算システム１は、ボルト許容締付トルク算出部４６を含む。ボルト許容締付トルク算出部４６は、ユーザにより指定されたガスケットを締め付けるボルトの耐久応力に基づいて、当該ボルトに許容される締付トルクＴ５を算出する。
（式１０）Ｗ５＝ＦｍａｘＳ
（式１１）Ｔ５＝ＫＷ５Ｄ／１０００ｎ
Ｆｍａｘ：耐久応力
Ｓ：ボルト総谷断面積
Ｋ：トルク係数
Ｄ：ボルト外径
ｎ：ボルト本数
【０１０２】
提示部４３は、ユーザにより指定されたガスケットに関連付けて、ボルトに許容される締付トルクＴ５をユーザに提示する。図１３は、変形例（３）における締付計算結果画面７０の一例を示す図である。図１３に示すように、提示部４３は、ボルトに許容される締付トルクＴ５を示すトルク情報７９を、締付計算結果画面７０に表示させる。例えば、最小締付トルク情報７２が示す最小締付トルクＴｍｉｎから、トルク情報７９が示す締付トルクＴ５までの締付トルクでボルトを締め付けることを促すメッセージが表示されるようにしてもよい。
【０１０３】
変形例（３）によれば、ボルトに許容される締付トルクＴ５をユーザが把握することができる。即ち、ユーザは、内部流体を漏れさせないための最小締付トルクＴｍｉｎ及びボルトを破損させないための締付トルクＴ５を把握することができるので、より効果的にユーザの負担を軽減することができる。
【０１０４】
（４）また例えば、ユーザが指定したガスケットの締付計算が実行された場合、ユーザが当該ガスケットを発注できるようにしてもよい。変形例（４）では、説明の簡略化のため、ガスケットの受発注が、サーバ装置２０により管理される場合を説明するが、他のサーバにより管理されるようにしてもよい。
【０１０５】
例えば、データベース記憶部３０は、ガスケットの受発注に関する受発注データベースを記憶する。例えば、受発注データベースには、複数のガスケットの各々と、ガスケットの在庫及び納品時期と、が関連付けられている。なお、受発注データベースに格納されるデータは、これに限られない。他にも例えば、各ガスケットの価格やユーザに関する個人情報等が、受発注データベースに格納されているようにしてもよい。
【０１０６】
受付部３３は、提示部４３により最小締付トルクＴｍｉｎが提示された場合、ユーザにより指定されたガスケットの発注操作を受け付ける。図１４は、変形例（４）における締付計算結果画面７０の一例を示す図である。図１４に示すように、締付計算結果画面７０には、ユーザが指定したガスケットを発注するための発注ボタン８０が表示される。ユーザが発注ボタン８０を選択すると、ユーザが指定したガスケットを発注するための要求が、ユーザ装置１０からサーバ装置２０に送信される。
【０１０７】
変形例（４）のガスケット締付計算システム１は、発注処理実行部４７を含む。発注処理実行部４７は、ユーザによる発注操作を受け付けた場合、ユーザにより指定されたガスケットの発注処理を実行する。例えば、発注処理実行部４７は、ガスケットを発注するための要求を受け付けると、ユーザが指定したガスケットの発注処理を実行する。発注処理は、ユーザにガスケットを納品するための処理であり、当該処理自体は、公知の種々の処理を適用可能である。例えば、発注処理実行部４７は、受発注データベースを更新し、ガスケットメーカーがユーザにガスケットを納品するための情報（例えば、出荷伝票等）を出力する。
【０１０８】
変形例（４）によれば、ユーザが指定したガスケットの締付計算が実行された場合に、当該ガスケットの発注処理を実行することができるので、ユーザは、締付計算の結果が問題ないことを確認しつつ、そのままガスケットの発注を行うことができる。
【０１０９】
（５）また例えば、応力Ｆｍｉｎが耐久応力を超えた場合はボルトが破損する可能性があるため、この場合には、ユーザがガスケットを発注できないようにしてもよい。変形例（５）のガスケット締付計算システム１は、発注処理制限部４８を含む。発注処理制限部４８は、応力判定部４１により耐久応力を超えたと判定された場合に、発注処理実行部４７による発注処理の実行を制限する。
【０１１０】
ここでは、発注ボタン８０を表示させないこと、発注ボタン８０の選択を無効化すること、ユーザが発注ボタン８０を選択しても発注処理実行部４７に発注処理を実行させないこと（例えば、発注要求をサーバ装置２０に送信しないこと）、が発注処理の実行を制限することに相当する。変形例（５）によれば、ボルトが破損する可能性のあるガスケットを発注させないことができるので、より安全性の高いガスケットのみをユーザに納品することができる。
【０１１１】
（６）また例えば、ユーザがガスケットを発注した場合、当該ガスケットの出荷伝票等に最小締付トルクＴｍｉｎが印刷されるようにしてもよい。発注処理実行部４７は、ユーザにより指定されたガスケットの発注処理が実行される場合、最小締付トルクＴｍｉｎを、ガスケットが発送される際の添付用紙（例えば、出荷伝票）に印刷する。
【０１１２】
例えば、サーバ装置２０に、出荷伝票を印刷するためのプリンタが接続されており、発注処理実行部４７は、最小締付トルクＴｍｉｎを含む出荷伝票を当該プリンタに印刷させる。当該出荷伝票は、ユーザが発注したガスケットと共に、ユーザに配送される。変形例（６）によれば、ユーザがガスケットを受け取った場合にボルトの締付トルクを把握できるので、締付不足による事故を確実に防止することができる。
【０１１３】
（７）また例えば、ユーザが指定したガスケットの締付計算が実行された場合に、当該ガスケットの在庫量及び納期が提示されるようにしてもよい。ここでは、受発注データベースに、複数種類のガスケットの各々の在庫量及び納期に関する情報が格納されているものとする。
【０１１４】
提示部４３は、最小締付トルクＴｍｉｎをユーザに提示した場合、ユーザにより指定されたガスケットの在庫量及び納期に関する情報を、ユーザに提示する。例えば、提示部４３は、ユーザが指定したガスケットに関連付けられた在庫量及び納期を取得し、当該取得された在庫量及び納期を示す情報を、締付計算結果画面７０に表示させる。変形例（７）によれば、締付計算を実行したガスケットの在庫量及び納期を確認したうえで、ユーザにガスケットを発注させることができる。
【０１１５】
（８）また例えば、応力Ｆｍｉｎが耐久応力を超えた場合は、ガスケットの在庫量や納期を確認できないようにしてもよい。変形例（８）のガスケット締付計算システム１は、提示制限部４９を含む。提示制限部４９は、応力判定部４１により耐久応力を超えたと判定された場合に、ユーザにより指定されたガスケットの在庫量及び納期に関する情報が提示されることを制限する。
【０１１６】
提示制限部４９は、応力判定部４１により耐久応力を超えたと判定された場合には、在庫量及び納期に関する情報を提示せず、応力判定部４１により耐久応力を超えていないと判定された場合には、在庫量及び納期に関する情報を提示する。変形例（８）によれば、応力Ｆｍｉｎが耐久応力を超えた場合は、ガスケットの在庫量や納期を確認できないようにすることにより、ボルトが破損する可能性のあるガスケットの発注を防止することができる。
【０１１７】
（９）また例えば、受発注データベースの内容は、各ユーザの発注により、リアルタイムで更新されるようにしてもよい。発注処理実行部４７は、ユーザにより指定されたガスケットの発注処理に応じて、複数のガスケットのそれぞれの在庫量及び納期に関する情報を更新する。
【０１１８】
例えば、発注処理実行部４７は、ユーザが発注したガスケットの在庫量を、ユーザが指定した発注量だけ減少させる。また例えば、発注処理実行部４７は、各ガスケットの在庫量が閾値を下回った場合に、当該ガスケットの納期を更新する。納期の更新は、予め定められた方法により実行されるようにすればよく、例えば、ガスケットメーカーにより指定された期日に更新される。変形例（９）によれば、ガスケットの在庫量や納期をリアルタイムに更新することができる。
【０１１９】
（１０）また例えば、ユーザがガスケットを発注する際に、ガスケットを使用する機器を指定し、次回以降の発注において、過去の注文内容が利用できるようにしてもよい。受付部３３は、ユーザにより指定されたガスケットを使用する機器について、ユーザによる指定を受け付ける。受付部３３は、ガスケットを使用する機器の識別情報を取得する。例えば、ガスケットを使用する機器を示す記号列をユーザに入力させるようにしてもよいし、複数種類の機器のうちでユーザが使用する機器を選択させるようにしてもよい。
【０１２０】
変形例（１０）のガスケット締付計算システム１は、記録部５０を含む。記録部５０は、発注処理実行部４７による発注処理が実行される場合に、ユーザにより指定された機器に関連付けてユーザにより発注されたガスケットに関する発注情報を記録する。例えば、データベース記憶部３０は、各ユーザの発注情報を格納した発注情報データベースを記憶する。発注情報データベースには、ガスケットを発注したユーザと、ユーザが指定した機器と、発注情報と、が関連付けられている。発注情報は、例えば、ユーザが入力画面６０から指定した内容、ガスケットの発注数、及び発注時期等を含む。なお、個別寸法品の場合には、発注情報に、個別寸法品のガスケットに係る図面が含まれているようにしてもよい。
【０１２１】
提示部４３は、発注情報が記録された後にユーザにより機器が指定された場合、当該指定された機器に関連付けられた発注情報をユーザに提示する。ユーザは、当該提示された発注情報に基づいて、発注操作を行うことになる。発注処理実行部４７は、ユーザに提示された発注情報に基づいて、発注処理を実行する。
【０１２２】
変形例（１０）によれば、ユーザが指定した機器ごとに、当該機器に用いられるガスケットを関連付けておくことができるので、ユーザがガスケットを発注する際の負担を軽減することができる。例えば、熱交換器等の機器に使用されるガスケットは、個別設計で図面をもとに発注されることが多いため、発注情報を記録しておくことで、次回発注時に、ユーザは機器を指定するだけでガスケットを発注することができるため、発注時のユーザの負担を効果的に軽減することができる。
【０１２３】
（１１）また例えば、ユーザが過去に発注したガスケットについては、入力画面６０からの入力を行わなくても、締付計算を実行できるようにしてもよい。ここでは、発注情報には、過去の発注時においてユーザが指定したガスケットの種類と、ガスケットに関するサイズ及び圧力と、内部流体の種類と、に関する情報を含む。即ち、変形例（１１）の発注情報は、ユーザが入力画面６０から入力した内容を含む。
【０１２４】
第１締付力算出部３４、第２締付力算出部３５、及び第３締付算出部３６のそれぞれは、過去の発注時の発注情報に基づいて、第１締付力Ｗｍ１、第２締付力Ｗｍ２、及び第３締付力Ｗｍ３のそれぞれを算出する。これらの算出方法は、実施形態で説明した方法と同様である。変形例（１１）によれば、ガスケットの締付計算を実行する際のユーザの負担を、より効果的に軽減することができる。
【０１２５】
（１２）また例えば、実施形態と上記変形例の二つ以上とを組み合わせるようにしてもよい。
【０１２６】
また例えば、上記では、規格品に関する締付計算を例に挙げて説明したが、個別寸法品も同様の方法で締付計算を行うことができる。なお、個別寸法品の場合は、ガスケットに関するサイズ及び圧力は、締付計算データベースに格納された値の代わりに、ユーザが入力した値が用いられる。第１締付力算出部３４、第２締付力算出部３５、及び第３締付力算出部３６は、ユーザが入力した値に基づいて、第１締付力Ｗｍ１、第２締付力Ｗｍ２、及び第３締付力Ｗｍ３を算出する。同様に、個別寸法品の場合は、ボルトに関する情報も、ユーザに入力させる。最小締付トルク算出部３７は、ユーザが入力したボルトに関する情報に基づいて、最小締付トルクＴｍｉｎを計算することになる。このように、ガスケットの寸法や形状が規格品ではなくても、締付計算を実行することができる。
【０１２７】
また例えば、実施形態では、最小締付トルクＴｍｉｎ、許容締付トルクＴｍａｘ、及び応力Ｆｍｉｎをユーザに提示する場合を説明したが、ユーザが指定したガスケットの種類に応じて提示されない項目があってもよい。例えば、メタルガスケットの場合には、許容締付トルクＴｍａｘが提示されないようにしてもよい。また例えば、最小締付トルクＴｍｉｎ、許容締付トルクＴｍａｘ、及び応力Ｆｍｉｎ以外の情報がユーザに提示されるようにしてもよい。例えば、最小締付面圧σ３がユーザに提示されるようにしてもよい。
【０１２８】
また例えば、ガスケットの締付計算で用いられるデータベースのデータ格納例は、上記の例に限られない。例えば、上記では、ボルト谷断面積がデータベースに格納されている場合を説明したが、データベースにボルトの外径に関する情報だけを格納しておき、ボルト総谷断面積は、計算で求めてもよい。
【０１２９】
また例えば、ガスケット締付計算システム１は、１台のコンピュータにより実現されるシステムであってもよい。例えば、ユーザ装置１０においてデータベース記憶部３０が実現されるようにしてもよい。この場合、ユーザ装置１０のみでガスケット締付計算システム１が実現される。また、機能ブロックで説明した各処理が、ユーザ装置１０ではなく、サーバ装置２０で実現されるようにしてもよい。この場合、ユーザ装置１０では、ユーザの入力受付及び画面表示のみが行われ、締付計算に関する処理は、サーバ装置２０で実行されることになる。他にも例えば、機能ブロックで説明した各処理が、ユーザ装置１０及びサーバ装置２０で分担されるようにしてもよい。
【符号の説明】
【０１３０】
１  ガスケット締付計算システム、１０  ユーザ装置、１１  制御部、１２  記憶部、１３  操作部、１４  表示部、１５  通信部、２０  サーバ装置、２１  制御部、２２  記憶部、２３  通信部、３０  データベース記憶部、３１  ガスケット情報取得部、３２  ボルト情報取得部、３３  受付部、３４  第１締付力算出部、３５  第２締付力算出部、３６  第３締付力算出部、３７  最小締付トルク算出部、３８  許容締付力算出部、３９  許容締付トルク算出部、４０  応力算出部、４１  応力判定部、４２  使用可否判定部、４３  提示部、４４  ボルト検索部、４５  ガスケット検索部、４６  ボルト許容締付トルク算出部、４７  発注処理実行部、４８  発注処理制限部、４９  提示制限部、５０  記録部、６０  入力画面、６１  種類指定フォーム、６２  圧力クラス指定フォーム、６３  サイズ指定フォーム、６４  流体指定フォーム、６５  使用温度指定フォーム、６６  使用時圧力指定フォーム、６７  使用ボルト指定フォーム、６８  計算ボタン、７０  締付計算結果画面、７１  指定内容、７２  最小締付トルク情報、７３  応力情報、７４  許容締付トルク情報、７５  使用可否情報、７６  アラート情報、７７  ボルト情報、７８  ガスケット情報、７９  トルク情報、８０  発注ボタン、ｍ  ガスケット係数、Ｐ  内圧、ｎ  本数、Ｄ  外径、ｙ  最小設計締付圧力、σ３  最小締付面圧、ｐ  許容面圧、ｂ  有効幅、Ｇ  有効径、ｂ０  基本幅、Ｗｍ１  第１締付力、Ｗｍ２  第２締付力、Ｗｍ３  第３締付力、Ａｇ  ガスケット接触面積、Ｔｍｉｎ  最小締付トルク、Ｗｍ４  許容締付力、Ｔｍａｘ  許容締付トルク、Ｆｍｉｎ  応力。
【要約】
【課題】正確な締付トルクを把握する際のユーザの負担を軽減すること。
【解決手段】ガスケット締付計算システム（１）の第１締付力算出手段（３４）は、指定されたサイズに対応する有効幅及び有効径と、指定された圧力と、指定されたガスケットのガスケット係数と、に基づいて、第１締付力を算出する。第２締付力算出手段（３５）は、有効幅及び有効径と、指定されたガスケットの最小設計締付圧力と、に基づいて、第２締付力を算出する。第３締付力算出手段（３６）は、指定されたサイズに対応するガスケット接触面積と、指定されたガスケット及び内部流体の種類に対応する最小締付面圧と、を乗算して第３締付力を算出する。最小締付トルク算出手段（３７）は、第１締付力、第２締付力、及び第３締付力のうち最大のものと、ボルトに関する情報と、に基づいて、最小締付トルクを算出する。提示手段（４３）は、最小締付トルクをユーザに提示する。
【選択図】図２【図１】
0005442895.tif 000002
【図２】
0005442895.tif 000003
【図３】
0005442895.tif 000004
【図４】
0005442895.tif 000005
【図５】
0005442895.tif 000006
【図６】
0005442895.tif 000007
【図７】
0005442895.tif 000008
【図８】
0005442895.tif 000009
【図９】
0005442895.tif 000010
【図１０】
0005442895.tif 000011
【図１１】
0005442895.tif 000012
【図１２】
0005442895.tif 000013
【図１３】
0005442895.tif 000014
【図１４】
0005442895.tif 000015